(57)【特許請求の範囲】
【請求項１】
ファン及び前記ファンを回転させるファンモータを有する頭部と、前記頭部の首振り動作をさせる首振り制御手段とを備え、風量選定手段により選定した風量で運転する扇風機において、
前記風量選定手段とは異なる操作により、前記風量選定手段により選択可能な最大の風量より大きな風量での運転であるターボ運転を指示するターボ運転指示手段と、
前記ターボ運転指示手段により前記ターボ運転が指示されると前記ターボ運転を開始させ、前記ターボ運転の開始から所定時間が経過すると前記ターボ運転を終了させるターボ運転制御手段と、を備え、
前記首振り制御手段は、前記首振り動作が行われている際に前記ターボ運転指示手段により前記ターボ運転が指示されると、前記首振り動作を停止させることを特徴とする扇風機。
【請求項２】
前記ターボ運転指示手段は、前記風量選定手段とは別個の操作部を備えてなる、請求項１に記載の扇風機。
【請求項３】
前記ターボ運転が指示された際の前記風量選定手段による選定風量を記憶する記憶手段と、
前記ターボ運転の終了後、風量を前記記憶手段が記憶した風量に復帰させる復帰手段と、をさらに備える、請求項１又は２に記載の扇風機。
【請求項４】
前記首振り制御手段は、
前記首振り動作が行われている際に前記ターボ運転指示手段により前記ターボ運転が指示されると、首振り可動可能な範囲の中心位置で前記首振り動作を停止させる、請求項１〜３のいずれか１項に記載の扇風機。
【請求項５】
人体を検知するセンサが設けられており、
前記首振り制御手段は、
前記首振り動作が行われている際に前記ターボ運転指示手段により前記ターボ運転が指示されると、前記センサにて人体を検知した方向に送風される位置で前記首振り動作を停止させる、請求項１〜４のいずれか１項に記載の扇風機。
【請求項６】
前記首振り動作を指示するための首振り指示手段と、
前記ターボ運転が行われている際に前記首振り指示手段により前記首振り動作が指示されると、当該指示を無効として、前記首振り動作を禁止する動作禁止手段と、
をさらに備える、請求項１〜５のいずれか１項に記載の扇風機。
【発明の詳細な説明】
【技術分野】
【０００１】
本発明は、風量を複数段階に切り換え可能な扇風機に関する。
【背景技術】
【０００２】
風量を複数段階に切り換え可能な扇風機としては、例えば特許文献１に記載されたものがある。この扇風機は、風量選定スイッチＳＷ２を備えており、スイッチ操作により風量をソフト（小）、中、強の３段階に切り換えることができるものである。また、リズム風選択スイッチＳＷ３を備えており、ソフト（小）、中、強それぞれの風量において、リズム風を選択できるようになっている。
【先行技術文献】
【特許文献】
【０００３】
【特許文献１】特開平１１−２８０６９２号公報
【発明の概要】
【発明が解決しようとする課題】
【０００４】
ところで、風呂上りや夏場の帰宅時等においては、スポット的に強い風にあたって爽快感を得たい場合がある。しかしながら、このような場合、特許文献１に記載された扇風機においては、風量選定スイッチにより選択可能な最大風量であっても、今一つ満足できるものでなかった。
【０００５】
本発明は、上記実情に鑑みてなされたものであって、その目的は、通常の風量選定手段による最大風量よりも、より強い風を風量選定手段とは異なる操作により容易に得ることができる扇風機を提供することである。
【課題を解決するための手段】
【０００６】
本発明の扇風機は、ファン及び前記ファンを回転させるファンモータを有する頭部と、前記頭部の首振り動作をさせる首振り制御手段とを備え、風量選定手段により選定した風量で運転する扇風機において、前記風量選定手段とは異なる操作により、前記風量選定手段により選択可能な最大の風量より大きな風量での運転であるターボ運転を指示するターボ運転指示手段と、前記ターボ運転指示手段により前記ターボ運転が指示されると前記ターボ運転を開始させ、前記ターボ運転の開始から所定時間が経過すると前記ターボ運転を終了させるターボ運転制御手段と、を備え、前記首振り制御手段は、前記首振り動作が行われている際に前記ターボ運転指示手段により前記ターボ運転が指示されると、前記首振り動作を停止させるものである。
【発明の効果】
【０００７】
本発明によれば、風量選定手段とは異なる操作により容易に、通常の風量選定手段で選定できる最大風量よりも強い風を選択することができる。
【図面の簡単な説明】
【０００８】
【図１】本発明の実施形態に係る扇風機の斜視図であり、（ａ）は、前方から見た場合、（ｂ）は、後方から見た場合を示す。
【図２】図１に示す扇風機の機能ブロック図である。
【図３】図１に示す本体操作部およびランプ表示部の拡大平面図である。
【図４】図１に示す扇風機のターボモードの動作を示すフローチャートである。
【発明を実施するための形態】
【０００９】
以下、本発明を実施するための形態について図面を参照しつつ説明する。図１は、本発明の実施形態に係る扇風機１の斜視図であり、（ａ）は、前方から見た場合、（ｂ）は、後方から見た場合を示す。
【００１０】
（扇風機１の構成）
図１に示すように、本発明の扇風機１は、モータ４（ファンモータと首振りモータを含む）と羽根を有する送風用のファン５とこのファン５を包囲するファンガード５ａとを含む頭部２（可動部）と、支柱６と基台７とを含む支持部３とを有している。基台７には制御装置８が内蔵され、基台７の上面には本体操作部９及びランプ表示部１０が形成されている。また、頭部２には、ファン５を回転駆動するファンモータと、ファン５やファンガード５ａを上下方向に回動させる回動機構と頭部２を左右方向（他の方向であってもよい）に往復可動させる首振りモータとを備えるＵ字状の把持部４ａを有している。なお、扇風機１には、リモコン９ａ（図２にのみ図示）が付属されている。また、制御装置８、本体操作部９、及びランプ表示部１０等の設置箇所は上記箇所に限定されるものではない。
【００１１】
制御装置８は、ＣＰＵ（Central Processing Unit）、ＲＯＭ（Read Only Memory）、ＲＡＭ（Random Access Memory）などの複数のハードウェアから構成されている。ＲＯＭには、制御装置の動作を制御する制御プログラムなどが格納されている。そして、その制御プログラムが実行されることによって、図２の機能ブロック図に示すように、風量切換部１１２、リズムモード制御部１１３、ターボモード制御部１１４（ターボ運転制御手段）、首振りモード制御部１１５（首振り制御手段）、タイマー制御部１１６、センサーモード制御部１１７、記憶部１２１（記憶手段）、復帰部１２２（復帰手段）、及び禁止制御部１２３の機能を発揮させている。
【００１２】
（本体操作部９）
図３は、図１に示す本体操作部９およびランプ表示部１０の拡大平面図である。図３に示すように、本体操作部９には、電源スイッチ１１、風量切換スイッチ１２（風量選定手段）、リズムモード選択スイッチ１３、ターボモード選択スイッチ１４（ターボ運転指示手段）、首振りモード選択スイッチ１５、切／入タイマー選択スイッチ１６、及びセンサーモード（省エネモード）選択スイッチ１７が設けられている。
【００１３】
（風量切換スイッチ１２）
風量切換スイッチ１２は、風量を最小風量である風量１から最大風量である風量５まで５段階に切り換え可能なスイッチである。ユーザは、風量切換スイッチ１２を操作することによって、風量切換部１１２に風量の切り換えを指示することができる。当該指示により、風量切換部１１２は、ファンモータをユーザが選択した風量に応じた回転数に制御して、ファン５の回転数を変更する。なお、風量の切り換え段数は、複数段階であれば５段階に限られず、つまみ，ダイヤルを操作するスイッチ等によりユーザが風量を自在に選択できるようにしてもよい。また、風量選定手段としては、強弱を選択する風量切換スイッチ１２を示したが（図３参照）、これに限られるものではない。例えば、風量１〜風量５までの５つのスイッチが各々独立していてもよいし、前記したつまみ，ダイヤルを操作するスイッチとしてもよいし、さらには、他のスイッチと兼用するものとしてもよい。
【００１４】
（リズムモード選択スイッチ１３）
リズムモード選択スイッチ１３は、リズム風の有無を選択するスイッチである。ユーザは、リズムモード選択スイッチ１３を操作（ＯＮ／ＯＦＦ）することによって、リズムモード制御部１１３にリズム風の開始（ＯＮ）又は停止（ＯＦＦ）を指示することができる。リズムモードとは、ファンの回転数を０〜選択した風量の回転数の間で段階的に変えて送風させるモードである。なお、リズムモード選択スイッチ１３はなくてもよい。即ち、リズム風を選択できなくてもよい。
【００１５】
（首振りモード選択スイッチ１５）
首振りモード選択スイッチ１５は、首振り動作の有無を選択するスイッチである。ユーザは、首振りモード選択スイッチ１５を操作（ＯＮ／ＯＦＦ）することによって、首振りモード制御部１１５（首振り制御手段）に首振り動作の開始（ＯＮ）又は停止（ＯＦＦ）を指示することができる。首振りモードとは、首振りモータを駆動して、頭部２（可動部）を左右方向（他の方向であってもよい，例えば上下方向，上下左右方向）に往復可動させるモードである。なお、首振りモード選択スイッチ１５はなくてもよい。即ち、首振り動作を選択できなくてもよい。
【００１６】
（切／入タイマー選択スイッチ１６）
切／入タイマー選択スイッチ１６は、切／入タイマーを設定するスイッチである。ユーザは、切／入タイマー選択スイッチ１６を操作することによって、タイマー制御部１１６に切／入タイマーを設定指示することができる。なお、切／入タイマー選択スイッチ１６はなくてもよい。
【００１７】
（センサーモード選択スイッチ１７）
センサーモード（省エネモード）選択スイッチ１７は、センサーモードの有無を選択するスイッチである。ユーザは、センサーモード選択スイッチ１７を操作（ＯＮ／ＯＦＦ）することによって、センサーモード制御部１１７にセンサーモードの開始（ＯＮ）又は停止（ＯＦＦ）を指示することができる。センサーモード（省エネモード）とは、頭部２（可動部）に設けられた赤外線センサ２ａによって人体を検知できなくなってから一定時間経過後（例えば、５分）に休止状態（モータ４の駆動を停止）に移行し、人体を検知できた時点で再び休止状態から復帰してモータ４の駆動を開始させるモードである。赤外線センサ２ａとしては、焦電型赤外線センサが好適に用いられる。赤外線センサ２ａの設置箇所は、特に限定されないが、赤外線センサの視界が扇風機１によって妨げられない箇所で、且つ風の影響が少ない支柱６の根元（図１参照）に設置されている。なお、人体を検知するセンサとして、焦電型赤外線センサの赤外線センサ２ａを示したが、赤外線センサに限らず、カメラセンサや、超音波、可視光などが適宜適応することができる。また、センサーモード選択スイッチ１７や赤外線センサ２ａはなくてもよい。
【００１８】
（ターボモード選択スイッチ１４）
ターボ運転指示手段は、風量選定手段の操作ボタンとは別個の操作部として押しボタンを備えており、制御装置８はターボ運転時には風量選定手段により選択可能な最大の風量より大きな風量で運転するターボ運転制御手段を備えている。詳細には、
ターボモード選択スイッチ１４（ターボ運転指示手段）は、ターボモード（ターボ運転）の有無を選択するスイッチであり、風量切換スイッチ１２とは別個に設けられている。ユーザは、ターボモード選択スイッチ１４を操作（ＯＮ／ＯＦＦ）することによって、ターボモード制御部１１４（ターボ運転制御手段）にターボモードの開始（ＯＮ）又は停止（ＯＦＦ）を指示することができる。ターボモード（ターボ運転）とは、所定時間の間（例えば、３分）、風量切換スイッチ１２で選択できる最大風量（風量５）よりも多い風量を送風させるモードである。ターボモード選択スイッチ１４がＯＮにされると、ターボモード制御部１１４（ターボ運転制御手段）は、ファンモータの回転速度を増加させて、風量５におけるファン５の回転数よりもファン５の回転数を増加させ、風量５よりも多い風量を送風させる。そして、所定時間が経過、又は、所定時間経過前にターボモード選択スイッチ１４がＯＦＦにされると、ターボモード制御部１１４（ターボ運転制御手段）によるファンモータの制御は停止されターボモードが停止（終了）する。
【００１９】
ターボモード（ターボ運転）は、風量切換スイッチ１２（風量選定手段）で選択できる最大風量（風量５）よりも多い風量を送風させるモードである。このようなより強い風を送風するターボ運転は、風呂上りや夏場の帰宅時等においてのスポット的な爽快感を得るため或いは、部屋の熱気・湿気・悪臭を瞬時に外へ排出したいときに使われるもので、所定時間の送風で要求を満足するものである。また、ターボ運転は、実施例のように時限運転とすることによって、ファンモータ4が定格限度となるようなところまで故障なく回転数を上げることが可能となり、その結果としてより強い風を安定的に得ることができる。
【００２０】
ターボ運転の時間は、３分としたが、ファンモータ４やファン５の仕様及び、要求する風量に応じて、適宜選択すればよい（例えば、０．５〜１０分）。
【００２１】
また、ターボモード選択スイッチ１４がＯＮにされた際には、その際の風量（選定されている選定風量）を記憶部１２１（記憶手段）が記憶する。そして、所定時間経過後、又は、ターボモード選択スイッチ１４がＯＦＦにされた後に、復帰部１２２（復帰手段）が風量を記憶部１２１に記憶された風量に復帰させる。即ち、ターボモード終了後の風量は、ターボモード開始前（開始直前）の風量に戻る。なお、記憶部１２１による風量の記憶の仕方は特に限定されるものではない。例えば、記憶部１２１は、風量切換スイッチ１２により風量が選択される度に、その風量を前回記憶した風量と読み替えて記憶するものであってもよい。また、ターボモード終了後の風量は、ターボモード開始前の風量と同じである必要はなく、各々の風量とすることができる。例えば、十分に爽快感が得られた後であることに鑑み、最小風量（風量１）を送風するようにしてもよい。また、電源を停止させてもよい。
【００２２】
首振り動作が行われている際に、ターボモード選択スイッチ１４がＯＮにされると、首振り動作は停止される。即ち、首振りモード制御部１１５は、ターボモード選択スイッチ１４がＯＮにされると、首振り動作を停止するよう制御する。その結果、ターボモード選択スイッチ１４がＯＮにされた際の位置で頭部２の往復可動が停止し、一方向に送風させることができるようになる。また、ターボモード中に、首振りモード選択スイッチ１５がＯＮにされても、禁止制御部１２３が、首振りモード制御１１５による制御が開始されないよう制御して、首振り動作は開始されない。但し、ターボモード選択スイッチ１４がＯＮにされても、首振り動作は停止されなくてもよく、また、ターボモード中に首振り動作が開始されてもよい。
【００２３】
上述したように、ターボモード選択スイッチ１４がＯＮにされると、首振り動作は停止される。このように首振り動作が停止することで、首振り動作に必要な電気的エネルギーをターボ送風に使用することができる。ここでは、左右の首振りモータの駆動を停止させるものであるが、この左右の首振りモータを駆動する電気的エネルギーをターボ送風に使用することができ、ターボモード中はターボ送風に電気的エネルギーを最大限に使用できる。
【００２４】
また、リズム風やセンサーモードにおいても、リズム風やセンサーモードが選択されている際に、ターボモード選択スイッチ１４がＯＮにされると、リズム風やセンサーモードは停止される（停止されなくてもよい）。また、ターボモード中に、リズムモード選択スイッチ１３やセンサーモード選択スイッチ１７がＯＮにされても、リズム風やセンサーモードは開始されない（開始されてもよい）。具体的には、リズム風の場合を例にとって説明すると、ターボモード選択スイッチ１４がＯＮにされると、リズムモード制御部１１３は、リズム風を停止するよう制御し、また、ターボモード中に、リズムモード選択スイッチ１３がＯＮにされると、禁止制御部１２３が、リズムモード制御部１１３による制御が開始されないよう制御する。なお、センサーモードでも同様であるのでその説明は割愛する。
【００２５】
また、ターボモード選択スイッチ１４がＯＮにされた際に、リズム風やセンサーモードがＯＮであれば、ＯＮであることを記憶部１２１（記憶手段）が記憶する。そして、所定時間経過後、又は、ターボモード選択スイッチ１４がＯＦＦにされた後、復帰部１２２（復帰手段）が記憶部１２１の記憶に基づいてＯＮの状態に復帰させる。その結果、ターボモード終了後に、リズム風やセンサーモードの状態が自動的に元の状態に戻るので、ユーザが強風にあたって爽快感を得た後にリズム風やセンサーモードを元の状態に戻す面倒な作業をしなくて済む。
【００２６】
切／入タイマー選択スイッチ１６により切／入タイマーが設定されている場合には、ターボモード選択スイッチ１４がＯＮにされると、タイマー制御部１１６の制御により、当該タイマーの設定内容はリセットされる。したがって、ターボモード中に切タイマーの切時間に到達したとしても、切タイマーによりターボモードが強制的に終了させられることがない。なお、当該タイマーの設定内容はリセットされなくてもよく、また、ターボモード中に切タイマーの切時間に到達する場合には、ターボモード終了後にタイマーが切れるよう、タイマー制御部１１６による制御を遅らせてもよい。
【００２７】
（ランプ表示部１０）
図３に示すように、ランプ表示部１０には、風量切換の段数（５段階）に応じてランプ１〜ランプ５が形成されており、風量を各々表示するようになっている。例えば、風量が最小風量（風量１）の場合、ランプ１が点灯し、風量１から風量２に切り換わるとランプ１が消灯してランプ２が点灯する。また、ターボモード選択スイッチ１４がＯＮにされ、ターボモード中となる場合には、ランプ１→ランプ２→ランプ３→ランプ４→ランプ５→ランプ１の順にスクロール点灯する。なお、ランプの点灯のさせ方は、これに限られるものではない。例えば、ターボモードにおいては、スクロール順序は逆でもよく、ランプ１〜５全てを点灯させてもよく、ランプ１〜５各々が同時に又は異なるタイミングで点灯と消灯を繰り返すように点灯させてもよい。
【００２８】
（リモコン９ａ）
リモコン９ａは、扇風機１に付属され、遠隔操作により制御装置８を操作指示するものである。リモコン９ａに設けられたスイッチは、本体操作部９に設けられたスイッチと全て同じであり、かつ、同じ機能を有するものなので、その説明は割愛する。なお、リモコン９ａはなくてもよい。
【００２９】
（首振り動作停止の変形例１）
本実施形態においては、首振りモード制御部１１５（首振り制御手段）は、ターボモード選択スイッチ１４がＯＮにされた際の位置で頭部２の往復可動を停止させたが、首振りモード制御部１１５首振り動作が行われている際に、ターボモード選択スイッチ１４がＯＮにされると、首振り可動可能な範囲の中心位置で首振り動作を停止するよう制御することもできる。首振り可動可能な範囲とは、頭部２（可動部）が首振りできる最大範囲を意味し、当該範囲の中心位置とは、通常は、扇風機１の正面方向（図１（ａ）における送風方向）となる。
【００３０】
（首振り動作停止の変形例２）
また、頭部２（可動部）には、赤外線により人体を検知する赤外線センサが設けられており、首振りモード制御部１１５（首振り制御手段）は、首振り操作が行われている際に、ターボモード選択スイッチ１４がＯＮにされると、赤外線センサにて人体を検知した方向に送風される位置で首振り動作を停止するよう制御することもできる。例えば、人体の検出構成としては、集光レンズを設けて検知エリアを所定の範囲に絞り込んだ赤外線センサを用い、支柱６を左右に回動できるようにして、その支柱６に赤外線センサを設けることが考えられる。この場合、支柱６の左右への回動に伴って赤外線センサも左右に回動することで検知エリアが左右往復することでどの方向に人がいるかを検知することができる。赤外線センサとしては、センサーモードに使用するため頭部２に取り付けられている赤外線センサ２ａを使用することができる（違うものを使用してもよい）。なお、赤外線センサにより、人体が複数検知される場合には、最初に検知した人体の方向に送風される位置で止まるようにすることができるが、それに限定されるものではない。
【００３１】
（ターボモードの動作）
次に、ターボモードの動作について、図４を参照しつつ説明する。図４は、図１に示す扇風機１のターボモードの動作を示すフローチャートである。
【００３２】
まず、制御装置８は、ターボモード選択スイッチ１４が操作（ＯＮ）されたが否かを判断し（Ｓ１）、スイッチ操作が行われるまで繰り返しチェックする（Ｓ１：Ｎｏ）。一方、スイッチ操作が行われた場合（Ｓ１：Ｙｅｓ）、ターボモード以外の各モード（首振り動作、リズム風、センサーモード、及びタイマーの設定）が行われているか（即ち、モード中であるか）否かを判断する（Ｓ２）。そして、これら各モードのうちの少なくとも一つがモード中の場合（Ｓ２：Ｙｅｓ）、風量（選定されている選定風量：風量１〜風量５）及び行われているモードを記憶部１２１が記憶し（Ｓ３）、行われているモードの制御部（１１３、１１５、１１６、１１７）の制御により、当該モードの停止又はリセット（モードＯＦＦ）が行われる（Ｓ４）。一方、各モード全てがモード中でない場合（Ｓ２：Ｎｏ）、風量（選定されている選定風量：風量１〜風量５）を記憶部１２１に記憶する（Ｓ５）。
【００３３】
その後、ターボモードが開始（ＯＮ）される（Ｓ６）。そして、所定時間（３分）を経過したか否か判断する（Ｓ７）。所定時間を経過した場合（Ｓ７：Ｙｅｓ）、ターボモードが停止（ＯＦＦ）され（Ｓ９）、復帰部１２２の制御により、記憶部１２１に記憶された風量に復帰する（Ｓ１０）。なお、ターボモード以外の各モード（首振り操作、リズム風、センサーモード、及びタイマーの設定）がモード中であった場合、これらの動作も復帰部１２２の制御により復帰する。一方、所定時間を経過していない場合（Ｓ７：Ｎｏ）、ターボモード選択スイッチ１４が操作（ＯＦＦ）された場合（Ｓ８：Ｙｅｓ）を除いて、所定時間が経過するまでターボモードを維持する（Ｓ８：Ｎｏ）。ターボモード選択スイッチ１４が操作（ＯＦＦ）された場合には（Ｓ８：Ｙｅｓ）、ターボモードが停止（ＯＦＦ）され（Ｓ９）、復帰部１２２の制御により、記憶部１２１に記憶された風量に復帰する（Ｓ１０）。なお、ターボモード以外の各モードがモード中であった場合、これらの動作も復帰部１２２の制御により復帰する。即ち、例えば、ターボモード開始前の設定が風量５の連続風であれば、ターボモード終了後に風量５の連続風に復帰する。また、ターボモード開始前の設定が風量５のリズム風であれば、ターボモード終了後に風量５のリズム風に復帰する。
【００３４】
（効果１）
次に、本実施形態に示す扇風機の効果について説明する。本実施形態の扇風機は、風量切換スイッチ（風量選定手段）により選定した風量で運転する扇風機において、風量切換スイッチ（風量選定手段）とは異なる操作によりターボ運転を指示するターボモード選択スイッチ（ターボ運転指示手段）と、ターボ運転時には風量切換スイッチ（風量選定手段）により選択可能な最大の風量より大きな風量で運転するターボモード制御部（ターボ運転制御手段）とを有する。よって、風量選定手段とは異なる操作により容易に、通常の風量選定手段による最大風量よりも、より強い風を選択することができる。
【００３５】
（効果２）
また、ターボ運転指示手段は、風量切換スイッチ（風量選定手段）とは別個の操作部を備えている。よって、風量切換スイッチ（風量選定手段）と混同することなく、ワンタッチ操作で容易に強風を選択することができる。
【００３６】
（効果３）
また、ターボモード制御部（ターボ運転制御手段）は、ターボ運転の開始から所定時間経過すると終了する。よって、送風は所定時間の間に限られるので、必要以上長時間強風が送風されることによる過剰な電力消費がなく、消費電力も削減できる。また、時限運転とすることによって、ファンモータが定格限度となるようなところまで故障なく回転数を上げることが可能となり、その結果としてより強い風を安定的に得ることができる。
【００３７】
（効果４）
また、ターボモード（ターボ運転）の指示された際（即ち、ターボモード選択スイッチがＯＮにされた際）の風量選定手段による選定風量を記憶する記憶手段と、ターボ運転終了後（所定時間経過後、又は、ターボモード選択スイッチがＯＦＦにされた後に）、風量を記憶手段が記憶した風量に復帰させる復帰手段とを有する。よって、ターボモード終了後に自動的に元の風量に戻るので、強い風にあたって爽快感を得た後に、風量を元に戻す面倒な作業をしなくて済む。また、元に風量に戻さずにその場を離れた場合に、他人に不快感を与える等の弊害を招いてしまうことを抑制できる。
【００３８】
（効果５）
また、首振り動作させる首振り制御手段をさらに備えており、首振り制御手段は、首振り動作が行われている際にターボモード（ターボ運転）が指示されると、首振り動作を停止させる。このように、首振り動作が停止することで、首振り動作に必要な電気的エネルギーをターボ送風に使用することができる。首振りモータ４を駆動する電気的エネルギーをターボ送風に使用することができ、ターボモード中はターボ送風に電気的エネルギーを最大限に使用できる。また、ターボモード（ターボ運転）が指示されると、ターボ送風の選択と首振り動作の停止を同時に行うことができる。その結果、スポット的に強い風に当たることができる。
【００３９】
（効果６）
また、首振り制御手段は、首振り動作が行われている際にターボモード（ターボ運転）が指示されると、首振り可動可能な範囲の中心位置で首振り動作を停止させる。よって、ユーザは、首振り停止位置の把握が可能となる。そのため、首振り位置が所望の位置に達するまでターボモード選択スイッチをＯＮにするのを待ったり、人がいない方向に強風が送風される等の不快感を解消できる。
【００４０】
（効果７）
また、首振り制御手段は、首振り動作が行われている際にターボモード（ターボ運転）が指示されると、人体を検知するセンサにて人体を検知した方向に送風される位置で首振り動作を停止させる。よって、首振りの範囲内であればどの位置にいても、スポット的に強い風に当たることができる。
【００４１】
また、従来の扇風機においては、風量を強にするために、風量切換スイッチを複数回操作したり、リズム風が選択されている場合にはリズム風を解除する操作を要し、操作が煩雑となる場合がある。特に、近年製造販売されている扇風機には、風量切換が５段階以上のものがあり、またリズム風以外にも省エネモード等様々な機能が付加されているため、強風を送風させる作業がより煩雑化しているものもある。よって、本発明によれば、風量切換スイッチとは別体に形成されたターボモード選択スイッチを操作（ＯＮ）することで、風量切換スイッチで選択できる最大風量よりも多い風量を送風できるので、容易な操作（スイッチをＯＮにする１回の操作）で強風を選択できる。その結果、強風を選択する作業の煩雑さがない。
【００４２】
以上、本発明の実施形態について説明したが、本発明は上述の実施の形態に限られるものではなく、特許請求の範囲に記載した限りにおいて様々に変更して実施することができるものである。
【００４３】
本実施形態においては、本体操作部９はスイッチの例について述べたが、タッチパネル上で操作するようなものであってもよく、また、各スイッチは、他のスイッチと兼用するものとしてもよい。なお、本願でいうスイッチとは、押しボタンに限られるものではなく、つまみ式、ダイヤル式、タッチパネルなどを含む。
【００４４】
また、本実施形態においては、ターボ運転指示手段を、操作用の押しボタンを備え且つ他のスイッチとは別個に形成されたターボモード選択スイッチとしたが、ターボ運転指示手段は、風量切換スイッチ１２(風量選定手段)とは異なる操作をするものであれば上記に限られるものではない。例えば、ターボモード選択スイッチと風量切換スイッチが１つの押しボタンから成り、そのボタンを長押しすることでターボモード選択スイッチがＯＮにされるようにしてもよい。その結果、ターボモード選択スイッチを１回押す（短押し）ごとに風量が切り換わる風量切換スイッチと併用できる。また、指で軽くタッチする、指をすべらせる、２本の指でタッチした後につまむまたは開くなど、指の動かし方で違いを認識し、操作部に指で直接触れて操作するタッチパネルの場合、ターボ運転指示手段の操作と風量選定手段の操作とを指の動かし方によって異なるようにすればよい。なお、ターボ運転指示手段は、本体操作部の形態に応じて適宜変更が可能である。
【００４５】
また、本実施形態においては、床等に載置して使用される載置式の扇風機を示したが、本発明の扇風機は、部屋の空気を循環させるサーキュレータ、本体が天井等に取り付けられて使用される取付式の扇風機など他の扇風機にも利用できる。
【００４６】
また、本実施形態においては、ファンガードと羽根を有する送風用のファンとを備える扇風機を示したが、本発明の参考例に係る扇風機は、ファンガードやファン（羽根を有する送風用のファンを意味する）のない扇風機にも適用することができる。
【符号の説明】
【００４７】
１  扇風機
２  頭部
３  支持部
８  制御装置
９  本体操作部
１０  ランプ表示部
１２  風量切換スイッチ(風量選定手段)
１４  ターボモード選択スイッチ（ターボ運転指示手段）
１１４  ターボモード制御部（ターボ運転制御手段）
１１５  首振りモード制御部（首振り制御手段）
１２１  記憶部（記憶手段）
１２２  復帰部（復帰手段）
【図１】
0005965660.tif 000002
【図２】
0005965660.tif 000003
【図３】
0005965660.tif 000004
【図４】
0005965660.tif 000005